(57)【要約】【課題】無線タグ利用システムで広告を使う場合にトレーサビリティ情報など個人情報の漏洩を防ぐこと。【解決手段】無線タグ管理装置２００の広告ＩＤ発行請求部２３０が広告管理装置１００に広告ＩＤの発行を請求し、広告管理装置１００の広告ＩＤ発行部１３０が広告ＩＤを発行し、無線タグの記憶領域に空ができると広告ＩＤ書込部２４０が広告ＩＤを無線タグに書き込み、無線タグの貼付された商品を購入した消費者が利用者端末３００を操作して商品のトレーサビリティ情報を見ようとすると、利用者端末３００のタグ情報表示部３１０が、無線タグからタグＩＤおよび広告ＩＤを読み出し、タグＩＤを指定して無線タグ管理装置２００からトレーサビリティ情報を取得し、広告ＩＤを指定して広告管理装置１００から広告情報を取得し、トレーサビリティ情報に広告を加えて表示するよう構成する。【選択図】        図２
2007272391.tif 000002
【特許請求の範囲】
【請求項１】
無線タグに関する情報を管理する無線タグ管理プログラムであって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手順と、
前記広告識別子発行請求手順により請求された広告識別子を前記広告管理装置から受信してタグ識別子と対応付けて記憶装置に格納する広告識別子格納手順と、
前記利用者端末が前記広告を広告管理装置に要求する際に無線タグから読み出して指定できるように、前記広告識別子格納手順により記憶装置に格納された広告識別子を対応するタグ識別子が書き込まれている無線タグに書き込む広告識別子書込手順と、
をコンピュータに実行させることを特徴とする無線タグ管理プログラム。
【請求項２】
前記広告識別子格納手順は、前記広告管理装置から広告識別子に加えて、購入者への広告の表示回数に基づいて算出される広告代金に関する契約条件を受信して記憶装置に格納し、
前記利用者端末からタグ情報を要求された際に、該タグ情報を送信するとともに対応する広告識別子のアクセス回数を増加するタグ情報送信手順と、
前記アクセス回数を前記表示回数とみなして前記契約条件に基づいて広告収入を算出する広告収入算出手順をさらにコンピュータに実行させることを特徴とする請求項１に記載の無線タグ管理プログラム。
【請求項３】
前記広告識別子発行請求手順は、商品の種類を指定して該商品の種類に関連する広告の広告識別子の発行を請求することを特徴とする請求項１または２に記載の無線タグ管理プログラム。
【請求項４】
無線タグに関する情報を管理する無線タグ管理方法であって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求工程と、
前記広告識別子発行請求工程により請求された広告識別子を前記広告管理装置から受信してタグ識別子と対応付けて記憶装置に格納する広告識別子格納工程と、
前記利用者端末が前記広告を広告管理装置に要求する際に無線タグから読み出して指定できるように、前記広告識別子格納工程により記憶装置に格納された広告識別子を対応するタグ識別子が書き込まれている無線タグに書き込む広告識別子書込工程と、
を含んだことを特徴とする無線タグ管理方法。
【請求項５】
無線タグに関する情報を管理する無線タグ管理装置であって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手段と、
前記広告識別子発行請求手段により請求された広告識別子を前記広告管理装置から受信してタグ識別子と対応付けて記憶装置に格納する広告識別子格納手段と、
前記利用者端末が前記広告を広告管理装置に要求する際に無線タグから読み出して指定できるように、前記広告識別子格納手段により記憶装置に格納された広告識別子を対応するタグ識別子が書き込まれている無線タグに書き込む広告識別子書込手段と、
を備えたことを特徴とする無線タグ管理装置。
【発明の詳細な説明】
【技術分野】
【０００１】
この発明は、無線タグ（ＲＦＩＤタグ）に関する情報を管理する無線タグ管理プログラム、無線タグ管理方法および無線タグ管理装置に関し、特に、無線タグが貼付された商品の購入者が商品と結び付けられたタグ情報を利用者端末に表示する際にタグ情報に加えて広告を表示することによって無線タグの利用コストを低減するとともに、タグ情報に基づく個人情報の漏洩を防ぐことを可能とする無線タグ管理プログラム、無線タグ管理方法および無線タグ管理装置に関するものである。
【背景技術】
【０００２】
物流分野などで無線タグの利用が進められているが、無線タグの利用をさらに促進するためには、無線タグの利用コストを低減する必要がある。無線タグの利用コストを低減する手段としては、無線タグの製造コストや商品への貼り付けコストなど発生するコストを低減する以外に、無線タグを利用した広告システムを構築することによって広告収入を得ることが考えられる。
【０００３】
例えば、無線タグが貼付される商品に関連する広告とタグＩＤを対応付けて管理し、消費者が商品のトレーサビリティ情報を確認しようとした際に、タグＩＤに対応する広告をトレーサビリティ情報とともに表示する広告システムが考えられる。このような広告システムを構築することによって、広告で得た収入を無線タグの利用コストに割り当て、無線タグの利用コストを低減することができる。
【０００４】
なお、特許文献１には、表示されている広告の詳細を無線タグ技術を応用して容易に携帯電話などに表示する技術が記載されている。
【０００５】
【特許文献１】特開２００３−２２４６７７号公報
【発明の開示】
【発明が解決しようとする課題】
【０００６】
しかしながら、タグＩＤと広告を対応付けて管理する広告システムには、消費者のプライベートな情報が漏洩する危険があるという問題がある。図１６は、かかる問題点を説明するための説明図である。
【０００７】
同図において、無線タグ管理装置２０は、タグＩＤに基づいてタグ情報を管理する装置であり、ここでは、無線タグ管理装置２０が管理するタグ情報の一部をタグＩＤとともに無線タグが記憶することとしている。
【０００８】
例えば、生産段階では生産段階で利用する「タグ情報A」だけを無線タグに記憶し、物流段階では物流段階で利用する「タグ情報B」だけを無線タグに記憶する。そして、他の段階で利用されるタグ情報は無線タグ管理装置２０が記憶し、無線タグが記憶するタグ情報は各段階で書き換えられて利用される。なお、ここでは、タグ情報の一部として商品のトレーサビリティ情報が管理されることとする。
【０００９】
広告管理装置１０は、タグＩＤと広告情報とを対応付けて管理する装置であり、消費者が利用者端末３０を用いて商品のトレーサビリティ情報を確認しようとした際に、無線タグが貼付された商品に関連する広告がトレーサビリティ情報とともに利用者端末３０に表示される。
【００１０】
このような広告システムでは、広告管理装置１０はタグＩＤを管理しているため、広告管理装置１０がタグＩＤを用いて無線タグ管理装置２０にアクセスし、トレーサビリティ情報を取得することが可能となる。したがって、広告主などの第三者に消費者のプライベートな情報であるトレーサビリティ情報が漏洩する危険性がある。すなわち、タグＩＤと広告情報とを直接結び付けて広告管理装置１０で管理すると、消費者のプライベート情報が漏洩する危険がある。
【００１１】
この発明は、上述した従来技術による問題点を解消するためになされたものであり、利用者端末にタグ情報に加えて広告を表示することによって無線タグの利用コストを低減するとともに、タグ情報に基づく個人情報の漏洩を防ぐことを可能とする無線タグ管理プログラム、無線タグ管理方法および無線タグ管理装置を提供することを目的とする。
【課題を解決するための手段】
【００１２】
上述した課題を解決し、目的を達成するため、請求項１の発明に係る無線タグ管理プログラムは、無線タグに関する情報を管理する無線タグ管理プログラムであって、無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手順と、前記広告識別子発行請求手順により請求された広告識別子を前記広告管理装置から受信してタグ識別子と対応付けて記憶装置に格納する広告識別子格納手順と、前記利用者端末が前記広告を広告管理装置に要求する際に無線タグから読み出して指定できるように、前記広告識別子格納手順により記憶装置に格納された広告識別子を対応するタグ識別子が書き込まれている無線タグに書き込む広告識別子書込手順と、をコンピュータに実行させることを特徴とする。
【００１３】
この請求項１の発明によれば、無線タグが貼付された商品の購入者が利用する利用者端末がタグ情報を表示する際にタグ情報に加えて表示する広告を管理する広告管理装置に対して広告を識別する広告識別子の発行を請求し、請求した広告識別子を広告管理装置から受信してタグ識別子と対応付けて記憶装置に格納し、利用者端末が広告を広告管理装置に要求する際に無線タグから読み出して指定できるように、記憶装置に格納した広告識別子を対応するタグ識別子が書き込まれている無線タグに書き込むよう構成したので、広告管理装置はタグ情報とともに表示される広告をタグ識別子を用いることなく管理することができる。
【００１４】
また、請求項２の発明に係る無線タグ管理プログラムは、請求項１の発明において、前記広告識別子格納手順は、前記広告管理装置から広告識別子に加えて、購入者への広告の表示回数に基づいて算出される広告代金に関する契約条件を受信して記憶装置に格納し、前記利用者端末からタグ情報を要求された際に、該タグ情報を送信するとともに対応する広告識別子のアクセス回数を増加するタグ情報送信手順と、前記アクセス回数を前記表示回数とみなして前記契約条件に基づいて広告収入を算出する広告収入算出手順をさらにコンピュータに実行させることを特徴とする。
【００１５】
この請求項２の発明によれば、広告管理装置から広告識別子に加えて、購入者への広告の表示回数に基づいて算出される広告代金に関する契約条件を受信して記憶装置に格納し、利用者端末からタグ情報を要求された際に、タグ情報を送信するとともに対応する広告識別子のアクセス回数を増加し、アクセス回数を表示回数とみなして契約条件に基づいて広告収入を算出するよう構成したので、広告による収入を正確に算出することができる。
【００１６】
また、請求項３の発明に係る無線タグ管理プログラムは、請求項１または２の発明において、前記広告識別子発行請求手順は、商品の種類を指定して該商品の種類に関連する広告の広告識別子の発行を請求することを特徴とする。
【００１７】
この請求項３の発明によれば、商品の種類を指定して商品の種類に関連する広告の広告識別子の発行を請求するよう構成したので、適切な広告をタグ情報とともに表示させることができる。
【００１８】
また、請求項４の発明に係る無線タグ管理方法は、無線タグに関する情報を管理する無線タグ管理方法であって、無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求工程と、前記広告識別子発行請求工程により請求された広告識別子を前記広告管理装置から受信してタグ識別子と対応付けて記憶装置に格納する広告識別子格納工程と、前記利用者端末が前記広告を広告管理装置に要求する際に無線タグから読み出して指定できるように、前記広告識別子格納工程により記憶装置に格納された広告識別子を対応するタグ識別子が書き込まれている無線タグに書き込む広告識別子書込工程と、を含んだことを特徴とする。
【００１９】
この請求項４の発明によれば、無線タグが貼付された商品の購入者が利用する利用者端末がタグ情報を表示する際にタグ情報に加えて表示する広告を管理する広告管理装置に対して広告を識別する広告識別子の発行を請求し、請求した広告識別子を広告管理装置から受信してタグ識別子と対応付けて記憶装置に格納し、利用者端末が広告を広告管理装置に要求する際に無線タグから読み出して指定できるように、記憶装置に格納した広告識別子を対応するタグ識別子が書き込まれている無線タグに書き込むよう構成したので、広告管理装置はタグ情報とともに表示される広告をタグ識別子を用いることなく管理することができる。
【００２０】
また、請求項５の発明に係る無線タグ管理装置は、無線タグに関する情報を管理する無線タグ管理装置であって、無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手段と、前記広告識別子発行請求手段により請求された広告識別子を前記広告管理装置から受信してタグ識別子と対応付けて記憶装置に格納する広告識別子格納手段と、前記利用者端末が前記広告を広告管理装置に要求する際に無線タグから読み出して指定できるように、前記広告識別子格納手段により記憶装置に格納された広告識別子を対応するタグ識別子が書き込まれている無線タグに書き込む広告識別子書込手段と、を備えたことを特徴とする。
【００２１】
この請求項５の発明によれば、無線タグが貼付された商品の購入者が利用する利用者端末がタグ情報を表示する際にタグ情報に加えて表示する広告を管理する広告管理装置に対して広告を識別する広告識別子の発行を請求し、請求した広告識別子を広告管理装置から受信してタグ識別子と対応付けて記憶装置に格納し、利用者端末が広告を広告管理装置に要求する際に無線タグから読み出して指定できるように、記憶装置に格納した広告識別子を対応するタグ識別子が書き込まれている無線タグに書き込むよう構成したので、広告管理装置はタグ情報とともに表示される広告をタグ識別子を用いることなく管理することができる。
【発明の効果】
【００２２】
請求項１、４および５の発明によれば、広告管理装置はタグ情報とともに表示される広告をタグ識別子を用いることなく管理するので、広告管理装置によるタグ情報の不正取得を防ぎ、タグ情報に基づく個人情報の広告管理装置からの漏洩を防ぐことができるがという効果を奏する。
【００２３】
また、請求項２の発明によれば、広告による収入を正確に算出するので、タグ購入者は広告主に対して適切な広告代金を請求することができるという効果を奏する。
【００２４】
また、請求項３の発明によれば、適切な広告をタグ情報とともに表示させるので、効果の高い広告を表示することができるという効果を奏する。
【発明を実施するための最良の形態】
【００２５】
以下に添付図面を参照して、この発明に係る無線タグ管理プログラム、無線タグ管理方法および無線タグ管理装置の好適な実施例を詳細に説明する。なお、本実施例では、本発明を食品のトレーサビリティ情報の管理に無線タグを利用するシステムに適用した場合を中心に説明する。
【実施例】
【００２６】
まず、本実施例に係る無線タグ利用システムにおけるトレーサビリティ情報漏洩防止方法について説明する。図１は、本実施例に係る無線タグ利用システムにおけるトレーサビリティ情報漏洩防止方法を説明するための説明図である。
【００２７】
同図に示すように、この無線タグ利用システム１では、無線タグ管理装置２００は、無線タグを貼付する商品に関連する広告を識別する広告ＩＤの発行を広告管理装置１００に要求し（１）、広告管理装置１００が広告ＩＤを発行する（２）。
【００２８】
そして、無線タグ管理装置２００は、広告管理装置１００によって発行された広告ＩＤをタグＩＤに対応付けて管理し、無線タグの記憶領域に空ができた場合に、広告ＩＤを無線タグに書き込む（３）。したがって、例えば生産段階では、無線タグは、「タグＩＤX」、「タグ情報A」、「広告ＩＤX」を記憶することとなる。
【００２９】
一方、広告管理装置１００は、発行した広告ＩＤと広告情報を対応付けて管理する。そして、消費者が利用者端末３００に備え付けられたタグリーダを用いて無線タグから情報を読み出す操作を行うと、利用者端末３００はタグＩＤを指定して無線タグ管理装置２００にトレーサビリティ情報を要求するとともに、広告管理装置１００に広告ＩＤを指定して広告情報を要求する（４）。
【００３０】
そして、無線タグ管理装置２００がトレーサビリティ情報を利用者端末３００に送信し、広告管理装置１００が広告情報を利用者端末３００に送信すると（５）、利用者端末３００は広告とともにトレーサビリティ情報を表示する。
【００３１】
このように、本実施例に係る無線タグ利用システム１では、広告管理装置１００は、タグＩＤと広告情報を対応付けて管理する代わりに、広告ＩＤと広告情報を対応付けて管理する。したがって、広告管理装置１００はタグＩＤを管理することがなく、広告管理装置１００がタグＩＤを用いて無線タグ管理装置２００にアクセスすることによってトレーサビリティ情報が漏洩する危険をなくすことができる。
【００３２】
次に、本実施例に係る無線タグ利用システム１の構成について説明する。図２は、本実施例に係る無線タグ利用システム１の構成を示す機能ブロック図である。同図に示すように、この無線タグ利用システム１は、広告管理装置１００と、無線タグ管理装置２００と、利用者端末３００とがインターネット４０を介して接続されて構成される。
【００３３】
なお、ここでは説明の便宜上、１台の広告管理装置１００および１台の利用者端末３００のみを示したが、この無線タグ利用システム１は、複数の広告管理装置１００および複数の利用者端末３００から構成される。
【００３４】
広告管理装置１００は、広告を管理する装置であり、広告情報記憶部１１０と、広告情報登録部１２０と、広告ＩＤ発行部１３０と、広告利用管理部１４０と、広告集計部１５０とを有する。
【００３５】
広告情報記憶部１１０は、広告を管理するための情報を記憶する記憶部であり、広告内容テーブル１１１と、広告ＩＤ管理テーブル１１２とを有する。
【００３６】
広告内容テーブル１１１は、広告に関する情報を記憶するテーブルである。図３は、広告内容テーブル１１１の一例を示す図である。同図に示すように、この広告内容テーブル１１１は、広告ごとに、無線タグ利用システム１で利用される広告を識別する登録ＩＤと、無線タグが貼付される商品の種類に対応する広告の種類を示す広告種類と、広告情報と、広告主の名前や連絡先を示す広告主情報と、広告主が支払う広告代金の算出条件を示す契約条件と、無線タグ管理装置２００に発行された広告ＩＤである発行済広告ＩＤとを対応させて記憶する。
【００３７】
広告ＩＤ管理テーブル１１２は、無線タグ管理装置２００に発行された広告ＩＤの情報を記憶するテーブルである。図４は、広告ＩＤ管理テーブル１１２の一例を示す図である。同図に示すように、この広告ＩＤ管理テーブル１１２は、発行された広告ＩＤごとに、広告ＩＤと、対象広告の登録ＩＤと、発行先の無線タグ管理装置アドレスと、広告ＩＤを用いて広告情報がアクセスされた回数であるアクセス回数とを対応させて記憶する。
【００３８】
広告情報登録部１２０は、広告に関する情報を広告主から受け付けて広告情報記憶部１１０に格納する処理部であり、具体的には、広告内容テーブル１１１に広告種類、広告情報、広告主情報、契約条件などの情報を登録する。
【００３９】
広告ＩＤ発行部１３０は、無線タグ管理装置２００からの広告ＩＤ発行要求を受け付けて広告ＩＤを発行する処理部であり、具体的には、無線タグ管理装置２００が指定する商品種類に広告種類が一致する広告を広告内容テーブル１１１を検索して特定し、特定した広告に対する広告ＩＤを作成して発行する。
【００４０】
また、この広告ＩＤ発行部１３０は、発行した広告ＩＤを広告内容テーブル１１１に発効済広告ＩＤとして登録するとともに、広告ＩＤ管理テーブル１１２に新たなエントリを作成し、発行した広告ＩＤ、登録ＩＤおよび無線タグ管理装置アドレスを登録する。
【００４１】
広告利用管理部１４０は、利用者端末３００からの広告情報送信要求に応答して広告情報を送信する処理部である。具体的には、この広告利用管理部１４０は、利用者端末３００によって指定された広告ＩＤに対応する登録ＩＤを広告ＩＤ管理テーブル１１２から検索し、検索した登録ＩＤを用いて広告内容テーブル１１１から広告情報を検索して、利用者端末３００に送信する。また、この広告利用管理部１４０は、広告ＩＤ管理テーブル１１２の利用者端末３００によって指定された広告ＩＤに対応するアクセス回数を「１」増加する。
【００４２】
広告集計部１５０は、広告ＩＤの利用が完了した時点で、広告ＩＤ管理テーブル１１２のアクセス回数と、広告内容テーブル１１１の契約条件に基づいて、広告主が無線タグの購入者に支払う広告代金を算出し、広告主および無線タグ管理装置２００に通知する処理部である。また、この広告集計部１５０は、自分が算出した広告代金と無線タグ管理装置２００が算出した広告代金との比較結果を無線タグ管理装置２００から受け取り、広告主に送信する。
【００４３】
無線タグ管理装置２００は、無線タグに関する情報を管理する装置であり、タグ情報記憶部２１０と、タグ情報登録部２２０と、広告ＩＤ発行請求部２３０と、広告ＩＤ書込部２４０と、タグ情報通知部２５０と、広告収入算出部２６０とを有する。
【００４４】
タグ情報記憶部２１０は、無線タグを管理するための情報を記憶した記憶部であり、タグ情報テーブル２１１と、広告管理テーブル２１２とを有する。
【００４５】
タグ情報テーブル２１１は、無線タグに関する情報を記憶するテーブルである。図５は、タグ情報テーブル２１１の一例を示す図である。同図に示すように、このタグ情報テーブル２１１は、無線タグごとに、タグＩＤと、無線タグの購入者の名前や連絡先を示す購入者情報と、トレーサビリティ情報を含むタグ情報と、無線タグが貼付される商品に関連する広告に無線タグを結びつけるための広告ＩＤとを対応させて記憶する。
【００４６】
広告管理テーブル２１２は、無線タグが貼付される商品に関連する広告に関する情報を記憶するテーブルである。図６は、広告管理テーブル２１２の一例を示す図である。同図に示すように、この広告管理テーブル２１２は、広告管理装置１００によって発行された広告ＩＤごとに、無線タグが貼付される商品の種類を示す商品種類と、広告ＩＤを発行した広告管理装置１００のアドレスを示す広告管理装置アドレスと、広告ＩＤと、無線タグが記憶するトレーサビリティ情報を消費者が見た数を示すアクセス回数と、契約条件と、広告によって回収された回収金額とを記憶する。なお、この広告管理テーブル２１２は、予め商品種類とその商品種類に関連する広告を管理する広告管理装置のアドレスが登録されているものとする。
【００４７】
タグ情報登録部２２０は、タグ情報記憶部２１０が記憶する情報を登録する処理部であり、具体的には、タグ情報テーブル２１１に購入者情報およびタグ情報を登録し、広告管理テーブル２１２に商品種類および広告管理装置アドレスを登録する。
【００４８】
広告ＩＤ発行請求部２３０は、無線タグを貼付する商品の種類を指定して広告管理装置１００に広告ＩＤの発行を請求する処理部であり、発行された広告ＩＤおよび対応する広告の契約条件を広告管理装置１００から受け取り、広告ＩＤをタグＩＤと対応させてタグ情報テーブル２１１に格納するとともに、広告ＩＤおよび契約条件を商品種類と対応させて広告管理テーブル２１２に格納する。
【００４９】
この広告ＩＤ発行請求部２３０が広告管理装置１００に広告ＩＤを請求し、発行された広告ＩＤをタグＩＤと対応させてタグ情報テーブル２１１に格納するとともに、広告ＩＤおよび契約条件を商品種類と対応させて広告管理テーブル２１２に格納することによって、無線タグ管理装置２００は、無線タグと対応付けて広告に関する情報を管理することができる。なお、この広告ＩＤ発行請求部２３０は、広告ＩＤを請求する広告管理装置１００のアドレスを広告管理テーブル２１２を用いて特定する。
【００５０】
広告ＩＤ書込部２４０は、無線タグの記憶領域に空ができた際に、その無線タグを貼付する商品に対応する広告ＩＤを広告管理テーブル２１２から検索して無線タグに書き込む処理部である。
【００５１】
この広告ＩＤ書込部２４０が無線タグを貼付する商品に対応する広告ＩＤを広告管理テーブル２１２から検索して無線タグに書き込むことによって、利用者端末３００は無線タグから広告ＩＤを読み出して広告管理装置１００に対応する広告情報を要求することができる。
【００５２】
タグ情報通知部２５０は、利用者端末３００からの要求に応答してトレーサビリティ情報を送信する処理部である。具体的には、このタグ情報通知部２５０は、利用者端末３００からタグＩＤを受け取り、タグＩＤを用いてタグ情報テーブル２１１を検索してタグ情報を取り出し、タグ情報からトレーサビリティ情報を抽出して利用者端末３００に送信する。
【００５３】
また、このタグ情報通知部２５０は、タグＩＤを用いてタグ情報テーブル２１１から対応する広告ＩＤを検索し、検索した広告ＩＤを用いて広告管理テーブル２１２から広告管理装置アドレスを検索して利用者端末３００に送信するとともに、広告管理テーブル２１２のアクセス回数を「１」増加する。
【００５４】
広告収入算出部２６０は、広告ＩＤの利用が完了した時点で、広告管理テーブル２１２のアクセス回数と契約条件に基づいて、広告主が無線タグの購入者に支払う広告代金を算出し、回収金額として広告管理テーブル２１２に格納する処理部である。また、この広告収入算出部２６０は、広告管理装置１００が算出した広告代金を受け取って自分で算出した広告代金と比較し、比較した結果を無線タグの購入者および広告管理装置１００に送信する。
【００５５】
利用者端末３００は、無線タグが貼付された商品を購入した消費者がトレーサビリティ情報を見る場合に使用する装置であり、タグリーダを備えるとともにタグ情報表示部３１０を有する。
【００５６】
タグ情報表示部３１０は、タグリーダが無線タグから読み出したタグＩＤを用いて無線タグ管理装置２００からトレーサビリティ情報と広告管理装置アドレスを取得し、取得した広告管理装置アドレスの広告管理装置１００から広告情報を取得してトレーサビリティ情報を広告とともに表示する処理部である。
【００５７】
図７は、タグ情報表示部３１０が表示するトレーサビリティ情報および広告の一例を示す図である。同図に示すように、タグ情報表示部３１０は、商品がキャベツである場合に、トレーサビリティ情報に加えて、キャベツ料理レシピおよびＡ食品の回鍋肉の素の広告文を広告として表示する。
【００５８】
次に、本実施例に係る無線タグ利用システム１によるトレーサビリティ情報表示までの処理概要について説明する。図８は、本実施例に係る無線タグ利用システム１によるトレーサビリティ情報表示までの処理概要を示すフローチャートである。
【００５９】
同図に示すように、この無線タグ利用システム１は、無線タグ管理装置２００の広告ＩＤ発行請求部２３０が広告管理装置１００に広告ＩＤ発行を請求すると（ステップＳ１０１）、広告管理装置１００の広告ＩＤ発行部１３０が広告ＩＤの作成を行い、作成した広告ＩＤを無線タグ管理装置２００に送信する（ステップＳ１０２）。
【００６０】
そして、広告ＩＤ発行請求部２３０が受信した広告ＩＤなどをタグ情報テーブル２１１や広告管理テーブル２１２に登録する（ステップＳ１０３）。その後、無線タグの記憶領域に空ができると、広告ＩＤ書込部２４０がその無線タグに対応する広告ＩＤを無線タグに書き込む（ステップＳ１０４）。なお、ステップＳ１０１〜ステップＳ１０４の処理と並行して無線タグ管理装置２００にはトレーサビリティ情報が蓄えられる。
【００６１】
その後、無線タグが貼付された商品を消費者が購入してトレーサビリティ情報を見るための操作を行うと、利用者端末３００のタグ情報表示部３１０が無線タグ管理装置２００にトレーサビリティ情報を要求する（ステップＳ１０５）。そして、無線タグ管理装置２００のタグ情報通知部２５０がトレーサビリティ情報および広告管理装置アドレスを利用者端末３００に送信し（ステップＳ１０６）、タグ情報表示部３１０が広告管理装置アドレスを用いて広告管理装置２００に広告情報を要求する（ステップＳ１０７）。
【００６２】
すると、広告管理装置１００の広告利用管理部１４０が広告情報を利用者端末３００に送信し（ステップＳ１０８）、タグ情報表示部３１０が広告情報を受け取ってトレーサビリティ情報とともに広告を表示する（ステップＳ１０９）。
【００６３】
このように、広告ＩＤを用いて広告を表示することによって、広告管理装置１００はタグＩＤを記憶する必要がなくなり、広告管理装置１００がトレーサビリティ情報へアクセスして広告管理装置１００から個人情報であるトレーサビリティ情報が漏洩する危険をなくすことができる。
【００６４】
次に、広告管理装置１００、無線タグ管理装置２００、利用者端末３００の各処理の処理手順について図９〜図１４を用いて説明する。図９は、広告ＩＤ発行部１３０による広告ＩＤ発行処理の処理手順を示すフローチャートである。
【００６５】
同図に示すように、この広告ＩＤ発行処理では、広告ＩＤ発行部１３０は、無線タグ管理装置２００から商品種類の指定とともに広告ＩＤ発行要求を受信し（ステップＳ２０１）、商品種類から広告内容テーブル１１１を検索して商品に対応する登録ＩＤ、契約条件を特定する（ステップＳ２０２）。
【００６６】
そして、広告ＩＤを作成して広告内容テーブル１１１に発行済み広告ＩＤとして登録し、また、作成した広告ＩＤ、登録ＩＤ、広告ＩＤを要求した無線タグ管理装置２００のアドレスを新たなエントリとして広告ＩＤ管理テーブル１１２に登録する（ステップＳ２０３）。そして、作成した広告ＩＤを契約条件とともに無線タグ管理装置２００に送信する（ステップＳ２０４）。
【００６７】
このように、広告ＩＤ発行部１３０が、無線タグ管理装置２００から指定された商品種類に対応する広告ＩＤを作成し、広告内容テーブル１１１および広告ＩＤ管理テーブル１１２に登録するとともに、広告ＩＤを無線タグ管理装置２００に送信することによって、広告を広告ＩＤを用いて管理することができる。
【００６８】
図１０は、広告利用管理部１４０による広告情報提供処理の処理手順を示すフローチャートである。同図に示すように、この広告情報提供処理では、広告利用管理部１４０は、利用者端末３００から広告ＩＤとともに広告情報送信要求を受信する（ステップＳ３０１）。
【００６９】
そして、広告ＩＤを用いて広告ＩＤ管理テーブル１１２を検索して広告情報の登録ＩＤを特定するとともに（ステップＳ３０２）、広告ＩＤ管理テーブル１１２のアクセス回数を「１」増加する。
【００７０】
そして、特定した登録ＩＤを用いて広告内容テーブル１１１を検索して広告情報を取得し（ステップＳ３０３）、取得した広告情報を利用者端末３００に送信する（ステップＳ３０４）。
【００７１】
このように、広告利用管理部１４０が利用者端末３００から広告ＩＤを受け取って対応する広告情報を利用者端末３００に送信することによって、利用者端末３００は広告をトレーサビリティ情報とともに表示することができる。
【００７２】
図１１は、広告ＩＤ発行請求部２３０による広告ＩＤ発行請求処理の処理手順を示すフローチャートである。同図に示すように、この広告ＩＤ発行請求処理では、広告ＩＤ発行請求部２３０は、無線タグを貼付する商品の種類を指定して広告管理装置１００に広告ＩＤの発行を要求する（ステップＳ４０１）。
【００７３】
そして、広告管理装置１００から広告ＩＤおよび契約条件を受信し（ステップＳ４０２）、広告管理テーブル２１２に商品種類に対応する広告ＩＤおよび契約条件として登録する（ステップＳ４０３）。
【００７４】
このように、広告ＩＤ発行請求部２３０が広告管理装置１００に広告ＩＤの発行を請求し、発行された広告ＩＤを広告管理テーブル２１２の所定の場所に登録することによって、無線タグ管理装置２００は商品種類と広告ＩＤとを対応させて管理することができる。
【００７５】
図１２は、広告ＩＤ書込部２４０による広告ＩＤ書込処理の処理手順を示すフローチャートである。なお、この広告ＩＤ書込処理は、無線タグの記憶領域に空ができた場合に起動される。
【００７６】
同図に示すように、この広告ＩＤ書込処理では、広告ＩＤ書込部２４０は、無線タグを貼付する商品の種類を用いて広告管理テーブル２１２を検索し、広告ＩＤを取得する（ステップＳ５０１）。
【００７７】
そして、取得した広告ＩＤを無線タグに書き込み（ステップＳ５０２）、また、広告ＩＤを書き込んだ無線タグに対応させてタグ情報テーブル２１１に広告ＩＤを登録する（ステップＳ５０３）。
【００７８】
このように、広告ＩＤ書込部２４０が広告ＩＤを無線タグに書き込むとともにタグ情報テーブル２１１の対応する場所に広告ＩＤを登録することによって、無線タグ管理装置２００は無線タグと広告ＩＤとを対応させて管理することができる。
【００７９】
図１３は、タグ情報通知部２５０によるタグ情報通知処理の処理手順を示すフローチャートである。同図に示すように、このタグ情報通知処理では、タグ情報通知部２５０は、タグＩＤとともにタグ情報送信要求を利用者端末３００から受信する（ステップＳ６０１）。
【００８０】
そして、タグＩＤを用いてタグ情報テーブル２１１からタグ情報および広告ＩＤを検索し、検索したタグ情報からトレーサビリティ情報を抽出する（ステップＳ６０２）。また、検索した広告ＩＤを用いて広告管理テーブル２１２から広告管理装置アドレスを検索するとともに、アクセス回数を「１」増加する（ステップＳ６０３）。そして、トレーサビリティ情報および広告管理装置アドレスを利用者端末３００に送信する（ステップＳ６０４）。
【００８１】
このように、タグ情報通知部２５０がタグＩＤに対応するトレーサビリティ情報とともに広告管理装置アドレスを利用者端末に送信することによって、利用者端末３００は無線タグから読み出した広告ＩＤから広告情報の送信を要求する広告管理装置１００を特定することができる。
【００８２】
図１４は、タグ情報表示部３１０によるタグ情報表示処理の処理手順を示すフローチャートである。同図に示すように、このタグ情報表示処理では、タグ情報表示部３１０は、タグＩＤおよび広告ＩＤを読み出す（ステップＳ７０１）。
【００８３】
そして、無線タグ管理装置２００にタグＩＤを送信して、トレーサビリティ情報および広告管理装置アドレスを要求する（ステップＳ７０２）。そして、トレーサビリティ情報および広告管理装置アドレスを受信すると（ステップＳ７０３）、受信したアドレスの広告管理装置１００に広告ＩＤを送信して広告情報を要求する（ステップＳ７０４）。そして、広告情報を受信すると、トレーサビリティ情報とともに広告を表示する（ステップＳ７０５）。
【００８４】
このように、タグ情報表示部３１０が無線タグ管理装置２００からトレーサビリティ情報を取得するとともに、広告管理装置１００から広告情報を取得することによって、利用者端末３００にトレーサビリティ情報に加えて広告を表示することができる。
【００８５】
上述してきたように、本実施例では、無線タグ管理装置２００の広告ＩＤ発行請求部２３０が広告管理装置１００に広告ＩＤの発行を請求し、広告管理装置１００の広告ＩＤ発行部１３０が広告ＩＤを発行し、無線タグの記憶領域に空ができると広告ＩＤ書込部２４０が広告ＩＤを無線タグに書き込み、無線タグの貼付された商品を購入した消費者が利用者端末３００を操作して商品のトレーサビリティ情報を見ようとすると、利用者端末３００のタグ情報表示部３１０が、無線タグからタグＩＤおよび広告ＩＤを読み出し、タグＩＤを指定して無線タグ管理装置２００からトレーサビリティ情報を取得し、広告ＩＤを指定して広告管理装置１００から広告情報を取得し、トレーサビリティ情報に広告を加えて表示することとしたので、広告管理装置１００はタグＩＤを用いることなく広告を管理することができる。
【００８６】
したがって、広告管理装置１００がタグＩＤを用いて無線タグ管理装置２００からトレーサビリティ情報を取得することができなくなり、広告管理装置１００からトレーサビリティ情報が漏洩する危険をなくすことができる。
【００８７】
なお、本実施例では、広告管理装置１００が複数の場合について説明したが、広告管理装置１００を１台とすることもできる。広告管理装置１００が１台の場合には、利用者端末３００は、無線タグ管理装置２００から広告管理装置アドレスを取得することなく固定のアドレスの広告管理装置１００にアクセスして広告情報を取得することができる。
【００８８】
また、本実施例では、無線タグ管理装置２００が１台の場合について説明したが、無線タグ管理装置２００を複数台とすることもできる。ただし、無線タグ管理装置２００を複数台とする場合には、タグＩＤからアクセスすべき無線タグ管理装置２００を利用者端末３００が問い合せることができるように、タグＩＤと無線タグ管理装置２００との対応関係を管理する装置が必要となる。
【００８９】
また、本実施例では、無線タグの購入者が無線タグを使用する場合について説明したが、無線タグの購入者は自分で無線タグを使用する以外に他の無線タグ使用者に無線タグの一部の記憶領域の使用あるいは一定の期間の使用を許可し、無線タグの使用許可を得た無線タグ使用者が広告収入を得ようとする場合にも同様に適用することができる。
【００９０】
また、本実施例では、広告ＩＤを無線タグに書き込んで、利用者端末３００が無線タグから広告ＩＤを読み出して使用する場合について説明したが、無線タグにはタグＩＤだけを書き込み、利用者端末３００は無線タグから読み出したタグＩＤを用いて無線タグ管理装置２００に広告ＩＤを問い合せるようにすることもできる。
【００９１】
また、本実施例では、広告管理装置、無線タグ管理装置、利用者端末について説明したが、これらの装置が有する構成をソフトウェアによって実現することで、同様の機能を有する広告管理プログラム、無線タグ管理プログラム、利用者プログラムをそれぞれ得ることができる。そこで、一例として、無線タグ管理プログラムを実行するコンピュータについて説明する。
【００９２】
図１５は、本実施例に係る無線タグ管理プログラムを実行するコンピュータの構成を示す機能ブロック図である。同図に示すように、このコンピュータ４００は、ＲＡＭ４１０と、ＣＰＵ４２０と、ＨＤＤ４３０と、ＬＡＮインタフェース４４０と、入出力インタフェース４５０と、ＤＶＤドライブ４６０とを有する。
【００９３】
ＲＡＭ４１０は、プログラムやプログラムの実行途中結果などを記憶するメモリであり、ＣＰＵ４２０は、ＲＡＭ４１０からプログラムを読み出して実行する中央処理装置である。
【００９４】
ＨＤＤ４３０は、プログラムやデータを格納するディスク装置であり、ＬＡＮインタフェース４４０は、コンピュータ４００をＬＡＮ経由で他のコンピュータに接続するためのインタフェースである。
【００９５】
入出力インタフェース４５０は、マウスやキーボードなどの入力装置および表示装置を接続するためのインタフェースであり、ＤＶＤドライブ４６０は、ＤＶＤの読み書きを行う装置である。
【００９６】
そして、このコンピュータ４００において実行される無線タグ管理プログラム４１１は、ＤＶＤに記憶され、ＤＶＤドライブ４６０によってＤＶＤから読み出されてコンピュータ４００にインストールされる。
【００９７】
あるいは、この無線タグ管理プログラム４１１は、ＬＡＮインタフェース４４０を介して接続された他のコンピュータシステムのデータベースなどに記憶され、これらのデータベースから読み出されてコンピュータ４００にインストールされる。
【００９８】
そして、インストールされた無線タグ管理プログラム４１１は、ＨＤＤ４３０に記憶され、ＲＡＭ４１０に読み出されてＣＰＵ４２０によって無線タグ管理プロセス４２１として実行される。
【００９９】
（付記１）無線タグに関する情報を管理する無線タグ管理プログラムであって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手順と、
前記広告識別子発行請求手順により請求された広告識別子を前記広告管理装置から受信してタグ識別子と対応付けて記憶装置に格納する広告識別子格納手順と、
前記利用者端末が前記広告を広告管理装置に要求する際に無線タグから読み出して指定できるように、前記広告識別子格納手順により記憶装置に格納された広告識別子を対応するタグ識別子が書き込まれている無線タグに書き込む広告識別子書込手順と、
をコンピュータに実行させることを特徴とする無線タグ管理プログラム。
【０１００】
（付記２）前記広告識別子格納手順は、前記広告管理装置から広告識別子に加えて、購入者への広告の表示回数に基づいて算出される広告代金に関する契約条件を受信して記憶装置に格納し、
前記利用者端末からタグ情報を要求された際に、該タグ情報を送信するとともに対応する広告識別子のアクセス回数を増加するタグ情報送信手順と、
前記アクセス回数を前記表示回数とみなして前記契約条件に基づいて広告収入を算出する広告収入算出手順をさらにコンピュータに実行させることを特徴とする付記１に記載の無線タグ管理プログラム。
【０１０１】
（付記３）前記広告識別子発行請求手順は、商品の種類を指定して該商品の種類に関連する広告の広告識別子の発行を請求することを特徴とする付記１または２に記載の無線タグ管理プログラム。
【０１０２】
（付記４）前記広告識別子書込手順は、無線タグの記憶領域に空領域が生じた場合に実行されることを特徴とする付記１、２または３に記載の無線タグ管理プログラム。
【０１０３】
（付記５）無線タグに関する情報を管理する無線タグ管理方法であって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求工程と、
前記広告識別子発行請求工程により請求された広告識別子を前記広告管理装置から受信してタグ識別子と対応付けて記憶装置に格納する広告識別子格納工程と、
前記利用者端末が前記広告を広告管理装置に要求する際に無線タグから読み出して指定できるように、前記広告識別子格納工程により記憶装置に格納された広告識別子を対応するタグ識別子が書き込まれている無線タグに書き込む広告識別子書込工程と、
を含んだことを特徴とする無線タグ管理方法。
【０１０４】
（付記６）無線タグに関する情報を管理する無線タグ管理装置であって、
無線タグが貼付された商品の購入者が利用する利用者端末がタグ情報を表示する際に該タグ情報に加えて表示する広告を管理する広告管理装置に対して広告を識別する広告識別子の発行を請求する広告識別子発行請求手段と、
前記広告識別子発行請求手段により請求された広告識別子を前記広告管理装置から受信してタグ識別子と対応付けて記憶装置に格納する広告識別子格納手段と、
前記利用者端末が前記広告を広告管理装置に要求する際に無線タグから読み出して指定できるように、前記広告識別子格納手段により記憶装置に格納された広告識別子を対応するタグ識別子が書き込まれている無線タグに書き込む広告識別子書込手段と、
を備えたことを特徴とする無線タグ管理装置。
【０１０５】
（付記７）無線タグが貼付された商品の購入者が利用する利用者端末がタグ情報を表示する際に該タグ情報に加えて表示する広告に関して、無線タグに関する情報を管理する無線タグ管理装置からの要求に応答して該広告を識別する広告識別子を発行する広告識別子発行手順と、
前記広告識別子発行手順により発行された広告識別子が前記無線タグ管理装置により書き込まれた無線タグのタグ情報を表示する際に無線タグから該広告識別子を読み出した利用者端末からの該広告識別子に対応する広告の送信要求に応答して広告を送信する広告送信手順と、
をコンピュータに実行させることを特徴とする広告管理プログラム。
【０１０６】
（付記８）前記広告識別子発行手順は、前記無線タグ装置が指定した商品の種類に関連する広告を識別する広告識別子を発行することを特徴とする付記７に記載の広告管理プログラム。
【０１０７】
（付記９）無線タグのタグ情報を表示する利用者端末プログラムであって、
無線タグが貼付された商品に関連する広告を識別する広告識別子を無線タグから読み出し、該読み出した広告識別子を指定して、広告と広告識別子とを対応させて管理する広告管理装置に広告の送信を要求する広告送信要求手順と、
前記広告送信要求手順により送信を要求された広告を前記広告管理装置から受信してタグ情報とともに表示するタグ情報表示手順と、
をコンピュータに実行させることを特徴とする利用者端末プログラム。
【０１０８】
（付記１０）無線タグが貼付された商品の購入者が利用する利用者端末がタグ情報とともに表示する広告を管理する広告管理装置が広告を識別する広告識別子を発行する広告識別子発行工程と、
無線タグに関する情報を管理する無線タグ管理装置が前記広告識別子発行工程により発行された広告識別子を無線タグに書き込む広告識別子書込工程と、
前記利用者端末が前記広告識別子書込工程により無線タグに書込まれた広告識別子を読み出し、該読み出した広告識別子に対応する広告を前記広告管理装置から受け取ってタグ情報とともに表示するタグ情報表示工程と、
を含んだことを特徴とする無線タグ利用方法。
【産業上の利用可能性】
【０１０９】
以上のように、本発明に係る無線タグ管理プログラム、無線タグ管理方法および無線タグ管理装置は、無線タグ利用システムで広告を用いる場合に有用であり、特に、タグ情報から個人情報が特定できる場合に適している。
【図面の簡単な説明】
【０１１０】
【図１】本実施例に係る無線タグ利用システムにおけるトレーサビリティ情報漏洩防止方法を説明するための説明図である。
【図２】本実施例に係る無線タグ利用システムの構成を示す機能ブロック図である。
【図３】広告内容テーブルの一例を示す図である。
【図４】広告ＩＤ管理テーブルの一例を示す図である。
【図５】タグ情報テーブルの一例を示す図である。
【図６】広告管理テーブルの一例を示す図である。
【図７】タグ情報表示部が表示するトレーサビリティ情報および広告の一例を示す図である。
【図８】本実施例に係る無線タグ利用システムによるトレーサビリティ情報表示までの処理概要を示すフローチャートである。
【図９】広告ＩＤ発行部による広告ＩＤ発行処理の処理手順を示すフローチャートである。
【図１０】広告利用管理部による広告情報提供処理の処理手順を示すフローチャートである。
【図１１】広告ＩＤ発行請求部による広告ＩＤ発行請求処理の処理手順を示すフローチャートである。
【図１２】広告ＩＤ書込部による広告ＩＤ書込処理の処理手順を示すフローチャートである。
【図１３】タグ情報通知部によるタグ情報通知処理の処理手順を示すフローチャートである。
【図１４】タグ情報表示部によるタグ情報表示処理の処理手順を示すフローチャートである。
【図１５】本実施例に係る無線タグ管理プログラムを実行するコンピュータの構成を示す機能ブロック図である。
【図１６】タグＩＤと広告を対応付けて管理する場合の問題点を説明するための説明図である。
【符号の説明】
【０１１１】
１０，１００    広告管理装置
２０，２００    無線タグ管理装置
３０，３００    利用者端末
４０    インターネット
１１０    広告情報記憶部
１１１    広告内容テーブル
１１２    広告ＩＤ管理テーブル
１２０    広告情報登録部
１３０    広告ＩＤ発行部
１４０    広告利用管理部
１５０    広告集計部
２１０    タグ情報記憶部
２１１    タグ情報テーブル
２１２    広告管理テーブル
２２０    タグ情報登録部
２３０    広告ＩＤ発行請求部
２４０    広告ＩＤ書込部
２５０    タグ情報通知部
２６０    広告収入算出部
４００    コンピュータ
４１０    ＲＡＭ
４１１    無線タグ管理プログラム
４２０    ＣＰＵ
４２１    無線タグ管理プロセス
４３０    ＨＤＤ
４４０    ＬＡＮインタフェース
４５０    入出力インタフェース
４６０    ＤＶＤドライブ
【図１】
2007272391.tif 000003
【図２】
2007272391.tif 000004
【図３】
2007272391.tif 000005
【図４】
2007272391.tif 000006
【図５】
2007272391.tif 000007
【図６】
2007272391.tif 000008
【図７】
2007272391.tif 000009
【図８】
2007272391.tif 000010
【図９】
2007272391.tif 000011
【図１０】
2007272391.tif 000012
【図１１】
2007272391.tif 000013
【図１２】
2007272391.tif 000014
【図１３】
2007272391.tif 000015
【図１４】
2007272391.tif 000016
【図１５】
2007272391.tif 000017
【図１６】
2007272391.tif 000018